(57)【特許請求の範囲】
【請求項１】
遠隔操作装置（以下リモコンと称す）と双方向通信をする空気調和機において、前記空気調和機内部は電源を生成するスイッチング電源手段と、前記スイッチング電源手段の電源を共通接続としたリレー駆動手段・安定化電源手段・リモコンへの送信手段と、さらにリモコンからの受信手段と、前記スイッチング電源手段・リレー駆動手段・リモコンへの送信手段・リモコンからの受信手段を検出制御するための制御部とを具備した室内制御装置で構成され、前記安定化電源手段の出力電源とリモコンへの送信手段の供給電源とを共通とし、前記リモコンへの送信手段は電流制限抵抗と第２の電流制限抵抗を直列に接続し、前記第２の電流制限抵抗には並列に送信電流アップ素子を並列に接続し、さらに前記送信電流アップ素子は制御部と接続して構成し、初回のリモコンへの送信終了後、一定時間前記送信電流アップ素子が動作することを特徴とする空気調和機の双方向通信制御装置。
【発明の詳細な説明】
【０００１】
【発明の属する技術分野】
本発明は、空気調和機と、その遠隔制御装置との制御信号の通信に関するものである。
【０００２】
【従来の技術】
近年、情報技術関連の技術革新が目覚しい発展を遂げている。その動きは、いわゆる白モノといわれる一般家電にも波及し、インターネットと一般家電を接続しようという技術まで生まれてきている。
【０００３】
空気調和機においては、従来の一方向、すなわち遠隔制御装置（以下、リモコンと称す）から室内機への通信から、リモコンと室内機相互の情報を交換する双方向通信へと技術が移行しつつある。
【０００４】
その一例について、図１０と図８を用いて説明する。図１０において１５は、室内空気調和機で、その内部には室内制御部１が具備され、更に室内制御部１にはリモコンへの送信手段３とリモコンからの受信手段４がある。
【０００５】
また、２はリモコンであり、空気調和機を運転する場合、運転／停止スイッチ２ａを操作する。２ｂは運転状況受信スイッチで、現在の運転モード・室温・故障状況をリモコンからの送信信号２ｄを介し、室内制御部１に送られ、その後、室内制御部１からリモコンへの送信信号３ａを介してリモコン２に送られる。２ｃはリモコン表示部であり、運転モード・室温・故障状況を使用者に案内する。
【０００６】
次に図８で制御部１の回路構成について説明する。尚、図１０と同一符号のものは説明を省略する。同図において、５は電源平滑手段で一般商用電源から生成される。６はスイッチング電源手段で出力電源６ａを出力する。前記６ａは安定化電源手段７とリレー駆動手段９とリモコンへの送信手段３に接続される。８は制御部でマイクロコンピュータ１０が具備される。１０ａはスイッチング電源制御ポートでスイッチング電源手段６に接続される。１０ｂはリモコンからの受信ポートでリモコンからの受信手段４に接続される。１０ｃはリモコンへの送信ポートでリモコンへの送信手段３に接続される。このリモコンへの送信ポート１０ｃから信号を発した時、送信電流１１がリモコンへの送信手段３内の送信素子３ｃと電流制限抵抗３ｂを経由してながれる。
【０００７】
ここで、出力電源６ａであるが、エアコン運転中はリレー駆動手段９を動作さため１２ｖに設定され、待機中（＝停止中）は７ｖに設定されている。つまり、昨今の省エネルギー化を実現させるために待機中は消費電力を押さえる動作としている。また、リモコンへの送信手段３の供給電源として出力電源６ａを利用しているのは、送信電流１１を高めにする必要があるためである。つまり、リモコン２から室内制御装置１への信号到達距離よりも、室内制御装置１からリモコン２への信号到達距離が短い場合、リモコン２に室内制御装置１からのデータが取り込めないために、双方向通信が成立しない場合が発生してしまうことを防止するためである。
【０００８】
次に図９でリモコン２を操作してから制御部１の状態変化を説明する。同図において、運転／停止スイッチ２ａをＯＮするとスイッチング電源制御ポート１０ａが５ｖになり、出力電源６ａが１２ｖになり、リレー駆動手段９がＯＮする。この時が空気調和機として運転状態である。
【０００９】
その状態で運転状況受信スイッチ２ｂをＯＮするとリモコンからの受信ポート１０ｂに信号が取り込まれ、その後リモコンへの送信ポート１０ｃから信号が出力され、送信電流１１が流れる。次に運転／停止スイッチ２ａをＯＮするとスイッチング電源制御ポート１０ａが０ｖになり、出力電源６ａが７ｖになり、リレー駆動手段９がＯＦＦする。この時が空気調和機として待機状態である。
その状態で運転状況受信スイッチ２ｂをＯＮするとリモコンからの受信ポート１０ｂに信号が取り込まれ、その後リモコンへの送信ポート１０ｃから信号が出力され、送信電流１１が流れる。
【００１０】
【発明が解決しようとする課題】
しかしながら、上記従来の構成において、空気調和機の運転状態と待機状態で出力電源６ａが１２ｖから７ｖへ変化するため、待機状態での送信電流１１は運転状態に対し約５８％の変化になる。したがって、待機状態のみリモコン２から室内制御部１への信号到達距離より、室内制御部１からリモコン２への信号到達距離が短くなるため、双方向通信が成立しない場合が発生してしまう。
【００１１】
その結果、室内機、リモコン双方に不具合がないにも関わらず、使用者は、その使用感に使い辛さを感じたり、室内機、リモコンに故障が発生したものと勘違いをすることになる、という課題を有していた。
【００１２】
また、空気調和機は取付けられる居室により、大きくその使用条件が異なってくる。例えば、居室が長方形の場合、室内機が居室の短辺側の壁面に取り付けられるのか、長辺側の壁面に取り付けられるのかで使用条件が変わってくる。さらに、その壁面の中央か端面なのかでも使用条件が変わってくる。
【００１３】
上記のような色々な使用条件下で、かつ使用者の生活シーンによっては、双方向通信が不成立する場合が生じる。そのような時、双方向通信が可能な場所に使用者が異動しなければならないため、使用者にとってわずらわしさを感じる、という課題を有していた。
【００１４】
また、使用者の生活シーンにおいて、使用者の居る場所によっては、双方向が不成立になった場合、再度リモコンを操作して確認する場合が多く、その時も不成立という課題を有していた。
【００１５】
本発明はこのような従来の課題を解決するものであり、空気調和機のリモコンと室内機との双方向通信を快適に実現するものである。
さらに、色々な使用条件下においても、快適にリモコンと室内機との双方向通信を行える空気調和機を提供するものである。
【００１６】
【課題を解決するための手段】
上記課題を解決するために本発明は、室内機からリモコンへの信号到達距離が長くなるように、リモコンへの送信出力を高くした室内制御装置を設けたものである。
【００１７】
上記した構成により、空気調和機のリモコンと室内機との双方向通信を快適に実現することができる。
【００１８】
【発明の実施の形態】
上記の課題を解決するために本発明は、電源を生成するスイッチング電源手段と、前記スイッチング電源手段の電源を共通接続としたリレー駆動手段・安定化電源手段・リモコンへの送信手段と、さらにリモコンからの受信手段と、前記（スイッチング電源手段・リレー駆動手段・リモコンへの送信手段・リモコンからの受信手段）を検出制御するための制御部で構成し、前記安定化電源手段の出力電源とリモコンへの送信手段の供給電源とを共通にし、前記リモコンへの送信手段は電流制限抵抗と第２の電流制限抵抗を直列に接続し、前記第２の電流制限抵抗には並列に送信電流アップ素子を並列に接続する制御部で構成し、初回のリモコンへの送信終了後、一定時間前記送信電流アップ素子を動作させることで、前記一定時間内であれば、２回目のリモコンへの送信時、送信出力を高くできる。
【００１９】
【実施例】
以下本発明の実施例と参考例について図面を参照して説明する。
【００２０】
（参考例１）
参考例１の回路構成は、従来の技術説明の図８と同一のため説明を省略する。
【００２１】
図１は、参考例１における、リモコン２を操作してから制御部１の状態変化を説明するタイミングチャートである。同図において、運転／停止スイッチ２ａをＯＮするとスイッチング電源制御ポート１０ａが５ｖになり、出力電源６ａが１２ｖになり、リレー駆動手段９がＯＮする。この時が空気調和機として運転状態である。その状態で運転状況受信スイッチ２ｂをＯＮするとリモコンからの受信ポート１０ｂに信号が取り込まれ、その後リモコンへの送信ポート１０ｃから信号が出力され、送信電流１１が流れる。次に運転／停止スイッチ２ａをＯＮするとスイッチング電源制御ポート１０ａが０ｖになり、出力電源６ａが７ｖになり、リレー駆動手段９がＯＦＦする。この時が空気調和機として待機状態である。
【００２２】
その状態で運転状況受信スイッチ２ｂをＯＮするとリモコンからの受信ポート１０ｂに信号が取り込まれる。その後リモコンからの受信ポート１０ｂの完了後、スイッチング電源制御ポート１０ａが５ｖになり、出力電源６ａが１２ｖになり、さらにリモコンへの送信ポート１０ｃから信号が出力され、送信電流１１が流れる。送信ポート１０ｃから信号の出力完了後、スイッチング電源制御ポート１０ａが０ｖになり、出力電源６ａが７ｖになる。図２は、参考例１における、制御部８内に設けられたマイクロコンピュータ１０のフローチャートである。
【００２３】
以上、図１と図２の参考例１の説明から、待機中であってもリモコンへ送信する時のみ、出力電源６ａが高電圧（１２ｖ）になるため、送信出力電流１１が運転中と同レベルになる。かつ通常待機中は、出力電源６ａが低電圧（７ｖ）になるため、制御部１の消費電力も抑えることができる。
【００２４】
（参考例２）
図３は、参考例２における回路構成の説明図である。尚、従来の技術説明の図８と同一符号のものは説明を省略する。同図において、安定化電源手段７の出力電源（５ｖ）とリモコンへの送信手段３の供給電源とを共通にし、前記リモコンへの送信手段３内では電流制限抵抗３ｂと第２の電流制限抵抗１３を直列に接続し、前記第２の電流制限抵抗１３には並列に送信電流アップスイッチ１２を接続して構成している。図４は、参考例２における、リモコン２を操作してから制御部１の状態変化を説明するタイミングチャートである。同図において、送信電流アップスイッチ１２のＯＦＦ状態で、運転状況受信スイッチ２ｂをＯＮすると、電流制限抵抗３ｂと第２の電流制限抵抗１３の直列抵抗分だけ送信電流１１が流れる。送信電流アップスイッチ１２のＯＮ状態では、運転状況受信スイッチ２ｂをＯＮすると、電流制限抵抗３ｂの抵抗分だけ送信電流１１が多く流れる。
【００２５】
以上、図３と図４の参考例２の説明から、送信電流アップスイッチ１２をＯＮにした時、第２の電流制限抵抗１３が０Ωになるため、送信出力が高くなる。
【００２６】
したがって、使用者の生活シーンや空気調和機の設置状況で双方向通信が不成立になる場合、送信電流アップスイッチ１２をＯＮするだけで、双方向通信を快適に実現することができる。
【００２７】
（実施例１）
図５は、実施例１における回路構成の説明図である。尚、従来の技術説明の図８と図３と同一符号のものは説明を省略する。同図において、安定化電源手段７の出力電源（５ｖ）とリモコンへの送信手段３の供給電源とを共通にし、前記リモコンへの送信手段３内では電流制限抵抗３ｂと第２の電流制限抵抗１３を直列に接続し、前記第２の電流制限抵抗１３には並列に送信電流アップ素子１４を並列に接続して構成している。図６は、実施例１における、リモコン２を操作してから制御部１の状態変化を説明するタイミングチャートである。同図において、運転状況受信スイッチ２ｂをＯＮするとリモコンからの受信ポート１０ｂに信号が取り込まれる。その後リモコンからの受信ポート１０ｂの完了後、リモコンへの送信ポート１０ｃから信号が出力され、電流制限抵抗３ｂと第２の電流制限抵抗１３の直列抵抗分だけ送信電流１１が流れる。その後、送信ポート１０ｃから信号の出力完了後、ｔ１時間前記送信電流アップ素子１４が動作する。
【００２８】
この送信電流アップ素子１４が動作している時、運転状況受信スイッチ２ｂを再度ＯＮすると、リモコンからの受信ポート１０ｂに信号が取り込まれ、その後リモコンへの送信ポート１０ｃから信号が出力され、電流制限抵抗３ｂの抵抗分だけ送信電流１１が多く流れる。図７は、実施例１における、制御部８内に設けられたマイクロコンピュータ１０のフローチャートである。
【００２９】
以上、図５と図６と図７の実施例１の説明から、一定時間送信電流アップ素子１４が動作中に、運転状況受信スイッチ２ｂがＯＮすると第２の電流制限抵抗１３が０Ωになるため、送信出力が高くなる。
【００３０】
したがって、初回のリモコンへの送信終了後、一定時間前記送信電流アップ素子１４を動作させることで、前記一定時間内であれば、２回目のリモコンへの送信時、送信出力を高くできる。このことから、使用者の生活シーンにおいて、使用者の居る場所によっては、双方向が不成立になった場合、再度リモコンを操作して確認する場合が多く、その時に不成立という問題を解消できる
【００３１】
【発明の効果】
上記説明から明らかなように、請求項１に記載の発明は、リモコンへの送信手段内に電流制限抵抗と第２の電流制限抵抗を直列に接続し、第２の電流制限抵抗には並列に送信電流アップ素子を並列に接続する構成にし、初回のリモコンへの送信終了後、一定時間送信電流アップ素子を動作させることで、この一定時間内であれば、２回目のリモコンへの送信時、送信出力を高くできる。したがって、使用者の生活シーンにおいて、使用者の居る場所によっては、双方向が不成立になった場合、再度リモコンを操作して確認する場合が多く、その時に不成立という問題が解消でき、双方向通信の安定性が向上する。
【図面の簡単な説明】
【図１】  本発明の参考例１の制御を示すタイミングチャート
【図２】  本発明の参考例１の制御を示すフローチャート
【図３】  本発明の参考例２を示す回路構成図
【図４】  本発明の参考例２の制御を示すフローチャート
【図５】  本発明の実施例１を示す回路構成図
【図６】  本発明の実施例１の制御を示すタイミングチャート
【図７】  本発明の実施例１の制御を示すフローチャート
【図８】  従来の空気調和機の遠隔制御装置の回路構成図
【図９】  従来の空気調和機の遠隔制御装置のタイミングチャート
【図１０】  従来の空気調和機の双方向通信の概要説明図
【符号の説明】
１    室内制御部
２  リモコン（遠隔制御装置）
２ａ  運転／停止スイッチ
２ｂ  運転状況受信スイッチ
２ｃ  リモコン表示部
２ｄ  リモコンからの送信信号
３  リモコンへの送信手段
３ａ  リモコンへの送信信号
３ｂ  電流制限抵抗
３ｃ  送信素子
４  リモコンからの受信手段
５  電源平滑手段
６  スイッチング電源手段
６ａ  出力電源
７  安定化電源手段
８  制御部
９  リレー駆動手段
１０  マイクロコンピュータ
１０ａ  スイッチング電源制御ポート
１０ｂ  リモコンからの受信ポート
１０ｃ  リモコンへの送信ポート
１０ｄ  送信電流アップ指示ポート
１１  送信電流
１２  送信電流アップスイッチ
１３  第２の電流制限抵抗
１４  送信電流アップ素子
１５  室内空気調和機
【図１】
0003931565.tif 000002
【図２】
0003931565.tif 000003
【図３】
0003931565.tif 000004
【図４】
0003931565.tif 000005
【図５】
0003931565.tif 000006
【図６】
0003931565.tif 000007
【図７】
0003931565.tif 000008
【図８】
0003931565.tif 000009
【図９】
0003931565.tif 000010
【図１０】
0003931565.tif 000011